(57)【要約】【課題】遊技機島に再配置する時、遊技機本体を円滑かつ楽に運ぶことができ、パチンコ機本体の再配置作業を短時間で迅速に行うことができて省力化を達成できる遊技機を提供する。【解決手段】支持軸１３とローラ１４とによりキャスター１５を構成していることから、パチンコ機本体３を並べ替えてパチンコ機島に再配置する際、ノブハンドル１１の操作により昇降棒１０を下降させれば、使用位置Ｓにおいて、キャスター１５のローラ１４が支持ブラケット６の外部に出て地面Ｇに設置される。この状態で、パチンコ機本体３を移動させれば、キャスター１５によりパチンコ機本体３を店内の所望の場所に運搬できる。パチンコ機本体３の再配置までの運搬作業に手間をとらず、開店時間までに余裕が生じて顧客へのサービス性の向上にも寄与する。【選択図】図２
2008295949.tif 000002
【特許請求の範囲】
【請求項１】
枠体内に設けた遊技機本体を店内で並べて設置することにより遊技機島を構成する遊技機において、
前記枠体の下辺部に複数の運搬部を取り付けており、
前記運搬部は、前記枠体の下辺部に形成した取付孔部に設けた支持ブラケットと、
前記支持ブラケットに取り付けられ、内周面に雌ねじ部を形成した筒状のボス部と、
中間部に形成された雄ねじ部を介して前記ボス部の前記雌ねじ部に螺進退可能に嵌め込まれ、上端部にノブハンドルを設けて下端部を管状の受け部とする昇降棒と、
上端部が前記受け部に軸周り方向に回転可能に嵌め込まれ、下端部がローラを回転可能に支持する傾斜軸になっている支持軸とを備え、
前記支持軸と前記ローラとによりキャスターを構成し、前記ノブハンドルの操作により前記昇降棒を上昇させて前記ローラを前記支持ブラケット内に収納した不使用位置と前記昇降棒を下降させて前記支持ブラケットの外部に出して前記ローラを地面に設置する使用位置との間で変位可能にさせたことを特徴とする遊技機。
【請求項２】
枠体内に設けた遊技機本体を店内で並べて設置することにより遊技機島を構成する遊技機において、
前記枠体の下辺部に複数の運搬部を取り付けており、
前記運搬部は、前記枠体の下辺部に形成した取付孔部と連通するように設けた支持ブラケットと、
前記支持ブラケット内で上下方向に回動可能となるように、前記枠体の縦辺部にヒンジにより枢支されたレバー体と、
前記レバー体に設けられた筒状の受け部と、
上端部が前記受け部に軸周り方向に回転可能に嵌め込まれ、下端部がローラを回転可能に支持する傾斜軸になっている支持軸とを備え、
前記支持軸と前記ローラとによりキャスターを構成し、前記レバー体の上下回動操作により前記ローラを前記支持ブラケット内に収納した不使用位置と前記ローラを前記支持ブラケットの外部に出して地面に設置する使用位置との間で変位可能にさせたことを特徴とする遊技機。
【請求項３】
前記施錠手段は、前記レバー体の前記ヒンジと反対側に開口部を設けた断面略コ字状の頭部と、
前記支持ブラケットの縦壁部に形成された孔部に連通するように固定された筒状部と、  前記筒状部内で長手方向に移動可能に設けられ、ばね部材により前記筒状部から前記頭部の前記開口部に対応する方向に付勢され、上端辺部から先端部にかけて略円弧状の丸み部を有する細長な舌状部材とから成り、
前記レバー体が前記使用位置に回動するに伴い、前記頭部が前記丸み部を摺動し、前記舌状部材を前記ばね部材の付勢力に抗して押圧し、前記舌状部材を前記筒状部内に一時的に引っ込ませた後、前記筒状部外に進出させて前記開口部に係合してロックすることを特徴とする請求項２に記載の遊技機。
【請求項４】
前記レバー体は、リターンスプリングにより前記使用位置から前記不使用位置の方向に回動付勢されているとともに、前記支持ブラケットは、前記不使用位置で前記筒状部に当接させる弾性ストッパを有していることを特徴とする請求項２に記載の遊技機。
【請求項５】
前記運搬部は、前記枠体における下辺部の左右二隅角部に二個ずつ設置されていることを特徴とする請求項１または請求項２のいずれかに記載の遊技機。
【請求項６】
前記ノブハンドルの回転操作は、前記遊技機本体を地面に設置した状態で行うことを特徴とする請求項１に記載の遊技機。
【請求項７】
前記レバー本体の回転操作は、前記遊技機本体を地面に設置した状態で行うことを特徴とする請求項２に記載の遊技機。
【発明の詳細な説明】
【技術分野】
【０００１】
本発明は、パチンコ機やスロットマシンなどといった娯楽やゲームに興ずる遊技機に関する。
【背景技術】
【０００２】
例えば、パチンコ機が店内に並べられた遊技機島にあっては、パチンコ機本体の並べ替えを定期的に行い、入店者に新鮮な感じを与え、顧客への関心を逸らさないように配慮している。パチンコ機本体を店内に並べて遊技機島を構成した事例に、例えば特許文献１に記載されたものがある。この遊技機島では、パチンコ機本体と玉貸機とが交互に配列されている。
【０００３】
玉貸機は、貨幣やプリペイドカードの投入に応じてパチンコ玉を払出すもので、内部に紙幣などを搬送する搬送装置が組み込まれている。島端のパチンコ機本体と妻板（飾り板）とは、連結手段を介して取り付けられ、パチンコ機本体と妻板とのスペースを設け、パチンコ機本体と玉貸機とが干渉しないようにしている。
とりわけ、近年では顧客の多様な好みに応じるため、パチンコ機本体は、多くの電子機械部品を集約的に取り込んでいるため、重量（２５−３０ｋｇ）が大きく、全体が重くなって運び難いものとなっている。
【特許文献１】特開２００１−３１４６３６号公報
【発明の開示】
【発明が解決しようとする課題】
【０００４】
上記の遊技機島において、例えば、新装開店のような顧客に印象を与えるため、パチンコ機本体を並べ替えて再配置するには、台車などの運搬手段を用いてパチンコ機本体を乗せ降ろしせざるを得ない。このため、パチンコ機自体の荷重が大きい上に、パチンコ機が密集している店内を台車などで移動させには、多大な労力と時間がかかる。この結果、パチンコ機本体の再配置を終えるまでの運搬作業にも余裕がなくなり、開店時間が遅れて顧客へのサービス性が低下する虞がある。
【０００５】
本発明は上記の事情を考慮してなされたもので、その目的は、遊技機本体を並べ替えて遊技機島に再配置する時、遊技機本体を円滑かつ楽に運ぶことができ、遊技機本体の再配置作業を短時間で迅速に行うことができて省力化を達成し、再配置までの運搬作業に手間をとらず、開店時間までに余裕が生じて顧客へのサービス性の向上に寄与する遊技機を提供するにある。
【課題を解決するための手段】
【０００６】
（請求項１について）
枠体内に設けた遊技機本体を店内で並べて設置することにより遊技機島を構成する遊技機において、枠体の下辺部に複数の運搬部を取り付けている。この運搬部は、枠体の下辺部に形成した取付孔部に設けた支持ブラケットと、支持ブラケットに取り付けられ、内周面に雌ねじ部を形成した筒状のボス部と、中間部に形成された雄ねじ部を介してボス部の雌ねじ部に螺進退可能に嵌め込まれ、上端部にノブハンドルを設けて下端部を管状の受け部とする昇降棒と、上端部が受け部に軸周り方向に回転可能に嵌め込まれ、下端部がローラを回転可能に支持する傾斜軸になっている支持軸とを備えている。
支持軸とローラとによりキャスターを構成し、ノブハンドルの操作により昇降棒を上昇させてローラを支持ブラケット内に収納した不使用位置と昇降棒を下降させて支持ブラケットの外部に出してローラを地面に設置する使用位置との間で変位可能にさせている。
【０００７】
請求項１では、支持軸とローラとによりキャスターを構成していることから、遊技機本体を並べ替えて遊技機島に再配置する際、ノブハンドルの操作により昇降棒を下降させれば、使用位置において、キャスターのローラが支持ブラケットの外部に出て地面に設置される。この状態で、遊技機本体を移動させれば、キャスターのローラにより遊技機本体を自由な方向に動かすことができるため、遊技機本体を店内の所望の場所に運搬することができる。
【０００８】
これにより、遊技機本体を並べ替えて再配置する時、遊技機本体を円滑かつ楽に運ぶことができ、遊技機本体の再配置作業を短時間で迅速に行うことができて省力化を達成し、遊技機本体の再配置までの運搬作業に手間をとらず、開店時間までに余裕が生じて顧客へのサービス性の向上に寄与する。
【０００９】
（請求項２について）
枠体内に設けた遊技機本体を店内で並べて設置することにより遊技機島を構成する遊技機において、枠体の下辺部に複数の運搬部を取り付けている。この運搬部は、枠体の下辺部に形成した取付孔部と連通するように設けた支持ブラケットと、支持ブラケット内で上下方向に回動可能となるように、枠体の縦辺部にヒンジにより枢支されたレバー体と、レバー体に設けられた筒状の受け部と、上端部が受け部に軸周り方向に回転可能に嵌め込まれ、下端部がローラを回転可能に支持する傾斜軸になっている支持軸とを備えている。
支持軸とローラとによりキャスターを構成し、レバー体の上下回動操作によりローラを支持ブラケット内に収納した不使用位置とローラを支持ブラケットの外部に出して地面に設置する使用位置との間で変位可能にさせている。
【００１０】
請求項２では、遊技機本体を並べ替えて遊技機島に再配置する際、レバー体の回動操作によりレバー体を下方回動させれば、使用位置でキャスターのローラが支持ブラケットの外部に出て地面に設置される。この状態で、請求項１と同様に、遊技機本体を移動させれば、キャスターのローラにより遊技機本体を自由な方向に動かすことができるため、遊技機本体を店内の所望の場所に運搬することが可能となる。
【００１１】
これにより、遊技機本体を並べ替えて再配置する時、請求項１と同様に、遊技機本体を円滑かつ楽に運ぶことができ、遊技機本体の再配置作業を短時間で迅速に行うことができて省力化を達成し、遊技機本体の再配置までの運搬作業に手間をとらず、開店時間までに余裕が生じて顧客へのサービス性の向上に寄与する。
【００１２】
（請求項３について）
施錠手段は、レバー体のヒンジと反対側に開口部を設けた断面略コ字状の頭部と、支持ブラケットの縦壁部に形成された孔部に連通するように固定された筒状部と、筒状部内で長手方向に移動可能に設けられ、ばね部材により筒状部から頭部の開口部に対応する方向に付勢され、上端辺部から先端部にかけて略円弧状の丸み部を有する細長な舌状部材とから成る。
レバー体が使用位置に回動するに伴い、頭部が丸み部を摺動し、舌状部材をばね部材の付勢力に抗して押圧し、舌状部材を筒状部内に一時的に引っ込ませた後、ばね部材の付勢力によりばね部材を筒状部から開口部に進出させて係合によりロックする。
【００１３】
請求項３における施錠手段は、レバー体、筒状部、ばね部材および舌状部材といった比較的簡素な構造のものでよく、全体がコンパクトで省スペース化が図られてコスト的にも有利となる。
【００１４】
（請求項４について）
レバー体は、リターンスプリングにより使用位置から不使用位置の方向に回動付勢されているとともに、支持ブラケットは、不使用位置で筒状部に当接させる弾性ストッパを有している。このため、レバー体は、不使用時にリターンスプリングの付勢力に助けられながら、不使用位置に回動して支持ブラケット内にスムーズに収納される。
しかも、レバー体が不使用位置に回動する際、筒状部が弾性ストッパに当接するので、弾性ストッパに対する当接時の衝撃が吸収されて緩和される効果がある。
【００１５】
（請求項５について）
運搬部は、枠体における下辺部の左右の二隅角部に二個ずつ設置されている。このため、使用位置でキャスターのローラを支持ブラケットの外部に出して地面に設置する際、遊技機本体が二隅角部に二個ずつ設置されたローラにより地面に設置されるので、遊技機本体が安定して運び易くなる。
【００１６】
（請求項６、７について）
ノブハンドルおよびレバー本体の回転操作は、遊技機本体を地面に設置した状態で行う。このため、遊技機本体を運搬する態勢が素早く整い、遊技機島への再配置作業を手際よく迅速に行うことに役立つ。
【発明を実施するための最良の形態】
【００１７】
本発明の遊技機では、パチンコ機などの遊技機本体を並べ替えて遊技機島に再配置する時、遊技機本体を円滑かつ楽に運ぶことができ、遊技機本体の再配置作業を短時間で迅速に行うことができて省力化を達成し、ひいては顧客へのサービス性の向上に寄与することができる。
【実施例１】
【００１８】
図１および図２に基づいて本発明の実施例１を説明する。
図１は遊技機としてのパチンコ機を示す。パチンコ機にあっては、縦長な矩形の木枠１内に操作機器２を嵌め込むことにより、パチンコ機本体３を遊技機本体として構成している｛図１の（ａ）、（ｂ）参照｝。パチンコ機本体３は、所定個数をユニットとして数ヶ所に分かれて配列されてパチンコ機島（図示せず）を遊技機島として構成する。
【００１９】
木枠１における下辺部１ａの左右両側には、パチンコ機本体３を地面Ｇ上を移動させるための運搬部４を取り付けている（図２参照）。ここで述べる地面Ｇとは、遊技店内の床面をはじめ運搬車の荷台、道路の舗装路面などパチンコ機本体３が運ばれる運搬路一般を指す。
運搬部４は、木枠１の下辺部１ａに形成した取付孔部５に連通するように設けた金属製の支持ブラケット６を有している。
支持ブラケット６は、例えば、天井部６ａおよび左右の縦壁部６ｂ、６ｃから帽子状を呈している。支持ブラケット６の下面外縁部６ｄは、取付孔部５の開口外周縁部５ａに螺子７により固定され、縦壁部６ｂは木枠１の縦辺部１ｂに螺子８により固定されている。  
【００２０】
支持ブラケット６における天井部６ａの略中央部には、内周面に雌ねじ部９ａを形成した筒状のボス部９を天井部６ａに略直角で貫通状態に溶接Ｗなどにより取り付けている。縦長な昇降棒１０は、中間部の外表面に雄ねじ部１０ａを形成してボス部９の雌ねじ部９ａに螺進退可能に嵌め込まれている。昇降棒１０の上端部は、外周側部の波状の起伏部１１ａを掴み部とする円形状のノブハンドル１１を中心の螺子１１ｂにより取り付けている。昇降棒１０の下端部は、内部を中空部１２ａとすることにより管状の受け部１２を形成している。
【００２１】
略くの字状を成す支持軸１３は、垂直な上端部１３ａが受け部１２に軸周り方向に回転可能に嵌め込まれ、下端部がローラ１４をハブ軸１４ａの周りに回転可能に支持する傾斜軸１３ｂになっている。ローラ１４は、支持軸１３の両側に配置されて円弧状の保護カバー１４ｃを取り付けており、支持軸１３と一緒にキャスター（車輪）１５を構成する。キャスター１５の構成により、ローラ１４は、パチンコ機本体３に対する押圧方向によって支持軸１３の周りに３６０度の角度をもって自在に回転する（図２の実線および二点鎖線参照）。
【００２２】
パチンコ機本体３を地面Ｇに設置した状態で、ノブハンドル１１を図２の矢印Ａ方向に回転操作すると、昇降棒１０がボス部９に沿って矢印Ｂ方向に上昇してローラ１４を支持ブラケット６内に収納した不使用位置Ｔに到る（図２の二点鎖線参照）。
【００２３】
不使用位置Ｔにおいて、ノブハンドル１１を図２の反矢印Ａ方向に回転操作すると、昇降棒１０がボス部９に沿って反矢印Ｂ方向に下降する。このため、ローラ１４が支持ブラケット６の外部に出て、キャスター１５を立ててローラ１４を地面Ｇに設置する使用位置Ｓに到る（図２の実線参照）。ローラ１４が地面Ｇに接地する際、ローラ１４は、支持軸１３、昇降棒１０および支持ブラケット６を介してパチンコ機本体３の重量を受けるため、ノブハンドル１１の回転操作は、パチンコ機本体３の重量に抗しながら行われる。
【００２４】
上記構成では、支持軸１３とローラ１４とによりキャスター１５を構成していることから、パチンコ機本体３を店内で並べ替えてパチンコ機島で再配置する際、ノブハンドル１１の操作により昇降棒１０を下降させれば、使用位置Ｓにおいてキャスター１５のローラ１４が支持ブラケット６の外部に出て地面Ｇに設置される。この状態で、パチンコ機本体３を移動させれば、ローラ１４によりパチンコ機本体３を自由な方向に動かすことができるため、パチンコ機本体３を店内の所望の場所に運搬することが可能となる。
【００２５】
この結果、パチンコ機本体３を並べ替えて再配置する時、パチンコ機本体３を円滑かつ楽に運ぶことができ、パチンコ機本体３の再配置作業を短時間で迅速に行うことができて省力化を達成し、パチンコ機本体３の再配置までの運搬作業に手間をとらず、開店時間までに余裕が生じて顧客へのサービス性の向上に寄与する。
【実施例２】
【００２６】
図３は本発明の実施例２を示す。実施例２では、実施例１のパチンコ機本体３に代わってスロットマシーン本体１６に適用している。スロットマシーン本体１６は、木枠１に操作機器１７を組み入れて構成されたものである。スロットマシーン本体１６では、操作機器１７の厚みが嵩み、重量が大きくなるため、運搬部４は、木枠１における下辺部１ａの左右の二隅角部に二個ずつ設置されている。
この場合、使用位置Ｓでキャスター１５のローラ１４を支持ブラケット６の外部に出して地面Ｇに設置する際、スロットマシーン本体１６が二隅角部に二個ずつ配分されたローラ１４により地面Ｇに設置されるので、スロットマシーン本体１６が安定して運び易くなる。
【実施例３】
【００２７】
図４ないし図６は本発明の実施例３を示す。実施例３が実施例１と異なるところは、実施例１の昇降棒１０、ボス部９およびノブハンドル１１に代わって、レール状を成すレバー体１８を設けたことである。この場合も、縦長な矩形の木枠１内に操作機器１７を嵌め込むことにより、パチンコ機本体３を遊技機本体として構成している｛図４の（ａ）、（ｂ）参照｝。
【００２８】
支持ブラケット６は、図５に示すように、天井部が開口されて内部にレバー体１８を略水平状態に配置している。支持ブラケット６の下端外周縁部６１はフランジ部として木枠１の下辺部１ａで螺子６２により取り付けられている。
レバー体１８の左端部は、縦壁部６ｂに沿って設けたヒンジ１９で上下回動可能に取り付けられ、右端部は断面略コ字状の頭部１８ａを有している。頭部１８ａには、外方に耳状に延出する摘まみ部１８Ａが形成されている（図６参照）。
【００２９】
レバー体１８の中央部には挿通孔２０が形成され、この挿通孔２０の周縁部には、上端閉鎖形の筒体部２１が受け部とし、溶接Ｗなどにより挿通孔２０と連通状態に固定されている。筒体部２１には、実施例１と同様に、支持軸１３の上端部１３ａが挿通孔２０を介して回転可能に嵌め込まれている。
【００３０】
レバー体１８の上下回動操作により、ローラ１４を支持ブラケット６内に収納した不使用位置Ｔとローラ１４を支持ブラケット６の外部に出してキャスター１５を立てて地面Ｇに設置し、後述する施錠手段２２でレバー体１８と一緒にロックする使用位置Ｓとの間で変位可能にさせている。
【００３１】
施錠手段２２は、レバー体１８のヒンジ１９と反対側に開口部１８ｂを設けた頭部１８ａと細長な筒状部２３とを有する。筒状部２３の左端部は、縦壁部６ｃに形成された孔部２４を挿通し、その外周縁部を幅広なフランジ板２５として形成している。フランジ板２５をボルト２６とナット２７により縦壁部６ｃの内面に堅く締め付けることにより、筒状部２３を縦壁部６ｃと略直角を成すように固定している。
【００３２】
筒状部２３内には、舌状部材２８が長手方向（水平方向）に摺動可能に設けられ、図５の矢印Ｄで示すように、先端部がばね部材２９により頭部１８ａの開口部１８ｂに係合する方向に付勢されている。舌状部材２８は、上端辺部から先端部にかけて略円弧状の丸み部２８ａを開口部１８ｂの上縁部に対応させて形成している。
【００３３】
筒状部２３は、リリース操作部材３０を取り付けるため、外側部に軸方向に沿って所定長さを有する長孔２３ａを設けている（図６参照）。リリース操作部材３０は、水平部３０ａと垂直部３０ｂとから略Ｌ字状に折曲形成されており、水平部３０ａの下端部を長孔２３ａを介して舌状部材２８の側面部に固定している。垂直部３０ｂの先端部には、操作場の便宜から球面状の把持部３１を取り付けている。
【００３４】
舌状部材２８は、ばね部材２９により開口部１８ｂへの係合方向に付勢されていることから、リリース操作部材３０の水平部３０ａは、舌状部材２８からばね部材２９の付勢力を受けて長孔２３ａの左端部に移動して当接する。これにより、水平部３０ａは、筒状部２３に対する舌状部材２８の抜け止めをなしている。
【００３５】
リターンスプリング３２は、一端部を頭部１８ａの孔部１８ｅに引っ掛けて固定し、他端部を木枠１の縦辺部１ｂの内面に取り付けて引張コイルスプリングとして機能させている。リターンスプリング３２により、レバー体１８は、常に使用位置Ｓから不使用位置Ｔへの方向に回動付勢されている。
支持ブラケット６における縦壁部６ｂの先端部６ｅは、アングル状の折曲加工が施されて弾性ストッパ３３をマウントゴムとして筒体部２１の先端部に対応するように取り付けている。
【００３６】
ローラ１４を支持ブラケット６の外部に出して地面Ｇに設置し、施錠手段２２によりレバー体１８と一緒に使用位置Ｓにロックした状態（図５参照）で、リリース操作部材３０の把持部３１を介して矢印Ｅ方向に引くと、水平部３０ａが長孔２３ａに沿って同方向に移動するため、舌状部材２８がばね部材２９の付勢力に抗して反矢印Ｄ方向に摺動し、先端部が開口部１８ｂに対する係合を脱する（ロックの解除）。
【００３７】
この時、施錠手段２２に対するレバー体１８の拘束が解かれて自由になるため、レバー体１８には、リターンスプリング３２の付勢力に加えて、ローラ１４および支持軸１３を介してパチンコ機本体３の重量がレバー体１８に回転モーメントとして解放される。
このため、レバー体１８は、ヒンジ１９を中心にしてローラ１４および支持軸１３と一緒に矢印Ｃ方向に角度θだけ上方回動し、ローラ１４および支持軸１３を支持ブラケット６内に収納して筒体部２１の上端角部２１ａを弾性ストッパ３３に当接させて不使用位置Ｔに止めて保持する（図５参照）。
【００３８】
不使用位置Ｔで、パチンコ機本体３を地面Ｇに設置したまま、摘まみ部１８Ａによりレバー体１８を下方に押圧すると、レバー体１８は、リターンスプリング３２の付勢力に抗して反矢印Ｃ方向に使用位置Ｓまで下方回動し、筒体部２１を弾性ストッパ３３から離間させる。使用位置Ｓでは、ローラ１４を支持ブラケット６の外部に出してキャスター１５を立てて地面Ｇに設置する。
【００３９】
レバー体１８が使用位置Ｓに下方回動する際、レバー体１８の頭部１８ａが舌状部材２８の丸み部２８ａを摺動する。このため、舌状部材２８は、ばね部材２９の付勢力に抗して反矢印Ｄ方向に押圧されて筒状部２３内に一時的に引っ込み、その後に丸み部２８ａを筒状部２３から開口部１８ｂに進出させて係合によりレバー体１８を支持軸１３およびキャスター１５と一緒に使用位置Ｓにロックする。
【００４０】
上記構成では、店内でパチンコ機本体３を並べ替えてパチンコ機島で再配置する際、レバー体１８を下方回動させれば、使用位置Ｓでキャスター１５のローラ１４が支持ブラケット６の外部に出て地面Ｇに設置される。この状態で、実施例１と同様に、パチンコ機本体３を移動させれば、キャスター１５のローラ１４によりパチンコ機本体３を自由な方向に動かすことができるため、パチンコ機本体３を店内の所望の場所に運搬することが可能となる。
【００４１】
これにより、パチンコ機本体３を並べ替えてパチンコ機島で再配置する時、実施例１と同様に、パチンコ機本体３を円滑かつ楽に運ぶことができ、パチンコ機本体３の再配置作業を短時間で迅速に行うことができて省力化を達成し、パチンコ機本体３の再配置までの運搬作業に手間をとらず、開店時間までに余裕が生じて顧客へのサービス性の向上に寄与する。
【００４２】
とりわけ、レバー体１８を使用位置Ｓから不使用位置Ｔに上方回動させる際、リリース操作部材３０により施錠手段２２の舌状部材２８を反矢印Ｄに摺動させて開口部１８ｂに対する係合を外すだけで、ローラ１４および支持軸１３を支持ブラケット６内に素早く収納する。このため、パチンコ機本体３の再配置まで時間を短縮でき、再配置作業の迅速化に資する。
【実施例４】
【００４３】
図７は本発明の実施例４を示す。実施例４では、実施例３のパチンコ機本体３に代わって実施例２のスロットマシーン本体１６に適用している。スロットマシーン本体１６は、木枠１に操作機器１７を組み入れて構成されたものである。スロットマシーン本体１６では、操作機器１７の厚みが嵩み、重量が大きくなるため、運搬部４は、木枠１における下辺部１ａの左右の二隅角部に二個ずつ設置されている。
【００４４】
この場合、使用位置Ｓでキャスター１５のローラ１４を支持ブラケット６の外部に出して地面Ｇに設置する際、実施例２と同様に、スロットマシーン本体１６が二隅角部に二個ずつ配分されたローラ１４により地面Ｇに設置されるので、スロットマシーン本体１６が安定して運び易くなる。
【００４５】
（変形例）
（ａ）実施例３では、レバー体１８を使用位置Ｓから不使用位置Ｔに回動したり、逆に不使用位置Ｔから使用位置Ｓに回動する操作は、運搬状況などによって、パチンコ機本体３を軽く持ち上げながら行ってもよい。実施例１におけるノブハンドル１１の回転操作についても同様である。
（ｂ）実施例３におけるリターンスプリング３２のばね定数は、レバー体１８の回動操作に関係するが、木枠１に加わる運搬時の負荷荷重、設置場所、運搬対象や使用状況などによって所望に変更してもよい。
（ｃ）実施例３では、使用位置Ｓにおけるレバー体１８を略水平状態に設定したが、水平面に対して所定の角度で傾斜するようにしてもよい。
【００４６】
（ｄ）木枠１の下辺部１ａに対する運搬部４の取付位置は、運搬時にパチンコ機本体３に加わる負荷荷重などによって所望に変更してもよい。
（ｅ）適用対象としては、パチンコ機本体３やスロットマシーン本体１６に限らず、遊技場などにおける各種のゲーム機であってもよく、要は枠体に組み込んで運搬する遊技機であればよい。
【産業上の利用可能性】
【００４７】
本発明の遊技機では、パチンコ機本体などを遊技機島で並べ替えて再配置する時、遊技機本体を円滑かつ楽に運ぶことができる。このため、遊技機本体の再配置作業を短時間で迅速に行うことができて省力化を達成し、顧客へのサービス性の向上に寄与することができる。運搬性に優れた遊技機が入手できる有益性から再配置の効率化を求める需要者の増加に伴い、関連部品などの流通を介して機械産業界へ広く適用することができる。
【図面の簡単な説明】
【００４８】
【図１】（ａ）はパチンコ機本体の背面図（実施例１）、（ｂ）はパチンコ機本体の縦断面図である（実施例１）。
【図２】運搬部を示す拡大縦断面図である（実施例１）。
【図３】（ａ）はスロットマシーン本体の背面図（実施例２）、（ｂ）はスロットマシーン本体の縦断面図である（実施例２）。
【図４】（ａ）はパチンコ機本体の背面図（実施例３）、（ｂ）はパチンコ機本体の縦断面図である（実施例３）。
【図５】運搬部を示す拡大縦断面図である（実施例３）。
【図６】運搬部を一部破断して示す拡大上面図である（実施例３）。
【図７】（ａ）はスロットマシーン本体の背面図（実施例４）、（ｂ）はスロットマシーン本体の縦断面図である（実施例４）。
【符号の説明】
【００４９】
１      木枠（枠体）
１ａ    木枠の下辺部
１ｂ    木枠の縦辺部
３      パチンコ機本体（遊技機本体）
４      運搬部
５      取付孔部
６      支持ブラケット
９      ボス部
１０    昇降棒
１０ａ  雄ねじ部
１１    ノブハンドル
１２    受け部
１３    支持軸
１３ａ  支持軸の上端部
１３ｂ  支持軸の傾斜軸
１４    ローラ
１５    キャスター
１８    レバー体
１８ａ  頭部
１８ｂ  開口部
１９    ヒンジ
２１    筒体部（受け部）
２２    施錠手段
２３    筒状部
２４    孔部
２８    舌状部材
２８ａ  丸み部
２９    ばね部材
３２    リターンスプリング
３３    弾性ストッパ
Ｇ      地面
【図１】
2008295949.tif 000003
【図２】
2008295949.tif 000004
【図３】
2008295949.tif 000005
【図４】
2008295949.tif 000006
【図５】
2008295949.tif 000007
【図６】
2008295949.tif 000008
【図７】
2008295949.tif 000009